(57)【要約】【課題】本発明は、上記の問題を解決する為に、髪の引っ掛かりが良く、もつれや絡み合った髪を簡単に梳きほぐすことができ、また、テンションを掛けたブローでカールやストレートにすることにも適し、生産性を考慮した組み立て容易なヘアーブラシの提供を目的とする。【解決手段】本体と、該本体に取り付けられる基台、該基台に取り付けられるピンユニットのピン基板が第１の樹脂から成り、該ピンユニットのブラシピンが第２の樹脂から成るヘアーブラシ。【選択図】図１
2016154750.tif 000002
【特許請求の範囲】
【請求項１】
本体と、該本体に取り付けられる基台、該基台に取り付けられるピンユニットのピン基板が第１の樹脂から成り、該ピンユニットのブラシピンが第２の樹脂から成るヘアーブラシ。
【請求項２】
本体と、該本体に取り付けられる基台、該基台に取り付けられる第１の樹脂で形成されたピンユニットで成り、該ピンユニットのブラシピンが第２の樹脂で被覆されたヘアーブラシ。
【請求項３】
前記第１の樹脂が熱可塑性樹脂から成り、前記第２の樹脂がシリコン、又は、熱可塑性エラストマーから成る請求項１、２記載のヘアーブラシ。
【請求項４】
前記ブラシピンが突起を有することを特徴とする請求項１〜３のいずれか１項に記載のヘアーブラシ。
【請求項５】
前記ブラシピンを前記突起が支障となることなく基台のピン穴に通すことができ、該基台にピンユニットを取り付けることのできる請求項１〜４のいずれか１項に記載のヘアーブラシ。
【請求項６】
前記ピンユニットのブラシピンの素材、形状、或いは、長さが異なるブラシピンを有するピンユニットを少なくとも１列配設した請求項１〜５のいずれか１項に記載のヘアーブラシ。
【発明の詳細な説明】
【技術分野】
【０００１】
本発明は、ヘアーブラシに関する発明である。
【背景技術】
【０００２】
ヘアーブラシといえば多種多様であり、その素材や形状などは千差万別である。特にヘアーブラシにおいて重要な役割を担っているブラシピンは、獣毛、樹脂、木、金属などの素材が用いられ、形状は多岐にわたり、ヘアーブラシの機能や用途に関して大きな影響を及ぼす。一般的に、豚毛や猪毛などの獣毛は水分と油分を含む為、静電気が起きにくく髪に艶を与える効果があり、また、１本１本の毛を束ねた状態で使用される為、髪への引っ掛かりが良くテンションを掛けやすいので、ブローでのカールやストレートに適している。樹脂素材は射出成形による大量生産が可能で、他の素材と比べ安価に作れ、汚れを落とす際には特段の注意を払うことなく水洗いができ、形状は、主に先端が丸みを帯びたテーパー状で、その表面は滑らかで引っ掛かりがない。このようにブラシピンには様々な素材や形状の特徴があり、その選定は、ヘアーブラシの機能や用途に鑑み、コスト、加工性、組立性などの要因を吟味して決定される。
【０００３】
従来のヘアーブラシにおいてブラシピンに焦点を当てると、髪の毛の引っ掛かりを良くし梳き上げ易くすることで、逆毛を立てボリュームアップしたヘアースタイルや、髪の毛を大雑把に梳きランダムな方向にすることで、無造作なヘアースタイルにすることに適した特許文献１に記載されたヘアーブラシがある。ブラシピンの素材は特に触れられていないが、形状として梳き体に櫛歯、或いは、ブラシ毛の枝部が設けられているのが特徴である。枝部という突起を設けることで髪の毛の引っ掛かりを良くすることはできるが、その反面、髪の毛を梳かす機能やブローの際にカールやストレートにする機能などを損なわせることになる。枝部の素材によってはこのような形状で作ることが困難な場合があり、また、その形状ゆえに一般的なブラシピンよりコストが掛かり、更にブラシ台に取り付ける組立性に関して課題が残る。効率を考えて機械で植える場合は、枝部の突起が障害となりピッキングケースに入っているブラシピンを機械がうまく掴むことができず、仮に掴んで植えられたとしても極めて高い歩止りが発生する為、結果的に、１本１本を手作業で植えることになり非常に手間が掛かる。また、ブラシピンとブラシ台を一体成形するにしても、特殊な形状の為、機能、コスト、生産の面で課題が残る。
【０００４】
次に、特許文献２に記載されたヘアーブラシは、逆毛を立てたり頭髪の寝癖を直したりなどの整髪作業を確実且つ効率的に行え、複数のフック形髪係合素子を設けたことでそれらを可能にしたものである。複数のフック形髪係合素子が設けられているので頭髪をしっかりと引っ掛けることができ、エッジ面に接する範囲であれば捉えることはできるが、ピンポイントで捉える場合に、例えば、他の髪の毛で覆われた髪の毛の根元あたりを持ち上げるには、広いエッジ面が邪魔になり掻き分けて捉えるには無理がある。また、髪を梳かすことができるようにフック形髪係合素子が設けられている反対側には櫛が備えられているが、櫛として使用する場合は半回転させて握り直す必要があり不便である。更に、形状が特殊な為、ブローで寝癖などを直すことができるが、カールさせたりストレートに伸ばしたりするなどのブローには非常に不向きである。
【０００５】
最後に、もつれや絡み合った毛髪を梳いて分離することに適合しているディタングルブラシとして特許文献３に記載されたヘアーブラシがある。ブラシピンの形状としては枝部を有することを特徴とする特許文献１のブラシピンに類似しているが、機能として、ピンを密集させることでもつれや絡み合った毛髪を梳いて分離させることができる。ピンを基部の表側からピンのフレア状先端部を基部の穴に差し込んで固着する構造であるが、特許文献１のヘアーブラシと同様に機械で植えることは難しく、１本１本差し込んで手で植える必要があり、非常に手間が掛かる。また、密集したピンの為、分岐した枝が障害となり植え込み作業を更に難くさせている。このようなピンを１本１本金型で作るには非常にコストが掛かり、生産性や組立性においても非効率である。
【先行技術文献】
【特許文献】
【０００６】
【特許文献１】特開１９９８−２７６８２８
【特許文献２】特開２０１０−２１３７３０
【特許文献３】特開２０１４−５２５３２０
【発明の概要】
【発明が解決しようとする課題】
【０００７】
本発明は、上記の問題を解決する為に、髪の引っ掛かりが良く、もつれや絡み合った髪を簡単に梳きほぐすことができ、また、テンションを掛けたブローでカールやストレートにすることにも適し、生産性を考慮した組み立て容易なヘアーブラシの提供を目的とする。
【課題を解決するための手段】
【０００８】
本明細書によれば以下の発明が提供される。
（１）本体と、該本体に取り付けられる基台、該基台に取り付けられるピンユニットのピン基板が第１の樹脂から成り、該ピンユニットのブラシピンが第２の樹脂から成るヘアーブラシ。
（２）本体と、該本体に取り付けられる基台、該基台に取り付けられる第１の樹脂で形成されたピンユニットで成り、該ピンユニットのブラシピンが第２の樹脂で被覆されたヘアーブラシ。
（３）前記第１の樹脂が熱可塑性樹脂から成り、前記第２の樹脂がシリコン、又は、熱可塑性エラストマーから成る（１）または（２）記載のヘアーブラシ。
【０００９】
（４）前記ブラシピンが突起を有することを特徴とする（１）〜（３）のいずれか１に記載のヘアーブラシ。
（５）前記ブラシピンを前記突起が支障となることなく基台のピン穴に通すことができ、該基台にピンユニットを取り付けることのできる（１）〜（４）のいずれか１に記載のヘアーブラシ。
（６）前記ピンユニットのブラシピンの素材、形状、或いは、長さが異なるブラシピンを有するピンユニットを少なくとも１列配設した（１）〜（５）のいずれか１に記載のヘアーブラシ。
【発明の効果】
【００１０】
本発明は、髪の引っ掛かりが良く、もつれや絡み合った髪を簡単に梳きほぐすことができ、また、テンションを掛けたブローでカールやストレートにすることにも適し、生産性を考慮した組み立て容易なヘアーブラシである。
【発明を実施するための形態】
【００１１】
以下、本発明のヘアーブラシについて図面を参照しながら説明する。図１は本発明における実施形態１のヘアーブラシで、本体１、ピンユニット２、基台３から構成されている。図２に示すように本体１には、基台３（図３参照）を取り付ける為に、本体１の長手方向に係合溝１ａが基台３の係合部３ｂに対応する長さで設けられている。一方、基台３にはピンユニット２（図４参照）を取り付ける為のピン穴３ａが設けられており、其々のピン穴３ａにブラシピン２ａを通しピンユニット２を突設する。基台３はゴムなどの弾性素材から成り、図３で表した矢印Ａが示す方向に屈曲させ、凸部３ｃと凹部３ｄを嵌合した状態で本体１にスライドさせて、ピンユニット２が設けられた基台３を取り付けることで実施形態１のヘアーブラシとなる。
【００１２】
実施形態１のヘアーブラシで用いられるピンユニット２（図４参照）はブラシピン２ａとピン基板２ｃで構成され、ピン基板２ｃは第１の樹脂としてポリプロピレンやナイロンなどの熱可塑性樹脂で成り、多くの小さな突起２ｂを有したブラシピン２ａは第２の樹脂であるシリコン又は熱可塑性エラストマーから成り、一体的に形成される。若しくは、ピンユニット２が第１の樹脂である熱可塑性樹脂から成り、ブラシピン２ａが第２の樹脂であるシリコン又は熱可塑性エラストマーから成る多くの小さな突起２ｂで被覆され、一体的に形成される。ピンユニット２はブラシピン２ａをピン基板２ｃに集約した形で成形することで、ブラシピン２ａを1本1本個々に成形する形態のものと比べ、生産や組立が非常に効率的である。ピンユニット２のブラシピン２ａは細長いテーパー状で可撓性を有し、繰り返しの使用でも折れることがないものが好ましい。
【００１３】
図４で示した突起２ｂは、円錐状で放射状に延び、その長さはブラシピン２ａの先端からピン基板２ｃに従って段階的に長くなっているが、その形状や長さ、個数や配置、硬度などは特に限定されることはなく、ブラシピン２ａの突起２ｂが支障となることなく、ブラシピン２ａを基台３に設けられたピン穴３ａに通すことができ、ピンユニット２をその基台３に取り付けることのできる範囲であれば構わない。多くの突起２ｂを有することで、髪への引っ掛かりがよく、テンションを掛けたブローでカールやストレートにすることに適し、更に、ブラシピン２ａが細長いテーパー状で突起２ｂが小さい為、突起２ｂが邪魔をすることなく、ブラシピン２ａが髪の表面だけではなく髪に覆われた奥の髪まで分け入り髪を梳かすことができるので、もつれや絡み合った髪を簡単に梳きほぐせるディタングルブラシとしても適している。              
【００１４】
他のピンユニット２の形態として、図６のピンユニット２のように、ナイロンやポリプロピレンなどの単一素材から成り、表面が滑らかで髪への引っ掛かりがないものや、図６のピンユニット２に第２の樹脂として粘着性のあるシリコンを被覆させて形成することで、突起２ｂがなくても髪への引っ掛かりのあるものや、静電気対策として第２の樹脂に導電性エラストマーから成るものなど、様々な形態が考えられる。それらと組み合わせて本発明のヘアーブラシを構成することができ、それにより、ヘアーブラシの機能や用途の幅を広げることが可能である。
【００１５】
前述のピンユニット２の組み合わせの例として、図５で示した実施形態２のヘアーブラシは、図４の突起２ｂのあるピンユニット２と図６の単一素材から成るピンユニット２を組み合わせたものである。特徴として、其々のピンユニット２を交互に配設し、髪の引っ掛かりが実施形態１のヘアーブラシと比べ少なく、図６のピンユニット２のみで構成されるヘアーブラシより髪の引っ掛かりが多いのが特徴である。ヘアーブラシの組立分解が容易な為、ピンユニット２の交換や取替が簡単にでき、様々なピンユニット２の組み合わせにより、個々の髪の量や質の違いに細かく対応することができる。また、それらのピンユニット２は必ずしも交互に配設する必要はなく、両端のみ突起２ｂのあるピンユニット２を配し、その他は突起２ｂのないピンユニット２でもよく、勿論、無作為に配設しても構わない。
【００１６】
図７で示した実施形態３のヘアーブラシは、他の形状をした本体１と基台３で構成されている。実施形態１のヘアーブラシに比べ、図９で示すように基台３が簡素化され、その分、本体１に支持板１ｃとキャップ１ｄが加えられた形態である（図８参照）。実施形態１と同様に、ゴムなどの弾性素材から成る基台３にピンユニット２を突設し、その基台３の係合部３ｂを本体１の係合溝１ａにスライドさせて取り付け、キャップ突起１ｅを本体１の嵌合穴１ｂに嵌めてキャップ１ｄを取り付けたものが実施形態３のヘアーブラシである。支持板１ｃはピンユニット２が基台３から抜け落ちないようにする為に、ピンユニット２を支える役割をしている。その支持板１ｃであるが、例えば、基台３の素材の選定、その厚みやピン穴３ａの径などを調整することで、ピンユニット２が基台３から抜け落ちないように固着できる為、その場合は必ずしも支持板１ｃを設ける必要はない。勿論、その他の手段で固着しても構わない。それにより、基台３が完全な中空状になり、クッション性を有することでブラシピン２ａの頭皮への当たりを軽減することができ、頭皮マッサージ用のヘアーブラシとしても使える。
【００１７】
他の形状のヘアーブラシとして、図１０で示した実施形態４のロールブラシがある。今までの実施形態のヘアーブラシと同じく、基台３がゴムなどの弾性素材から成るが、形状は大きく異なり円筒形をしている。本体１（図１２参照）には、基台３を取り付ける為に、接合部１ｇが基台３の内径に沿って外接するように設けられ、本体１から脱着可能なキャップ１ｄにも同様な接合部１ｇが設けられている。組み立ての手順は幾つかあるが、基本としては、基台３に設けられたピン穴３ａに図４のピンユニット２のブラシピン２ａを通して突設させ（図１３参照）、その基台３を本体１にある接合部１ｇに取り付けた後、キャップ１ｄを基台３に取り付けると共に、本体１の芯部１ｈをキャップ嵌合穴１ｆに嵌めることで組み立てられる。図１１で示すように、基台３は完全な中空状になっており、実施形態３のヘアーブラシで支持板１ｃを設けない形態と同様にクッション性を有する。また、クッション性が必要ないのであれば、本体１の芯部１ｈを支持板１ｃとして、ピンユニット２のピン基板２ｃに接して支えることのできる寸法にすることで、そのクッション性を解消することもできる。
【００１８】
以上、本発明による実施形態のヘアーブラシであるが、上記実施例に記載した構成に限定されるものではなく、その趣旨を逸脱しない範囲において適宜その構成を変更することができる。
【図面の簡単な説明】
【００１９】
【図１】本発明の実施形態１によるヘアーブラシの正面図、左側面図である。
【図２】本発明の実施形態１による本体の平面図、左側面図である。
【図３】本発明の実施形態１による基台の平面図、正面図、底面図である。
【図４】本発明の実施形態１による突起を有するブラシピンを拡大した平面図とピンユニットの正面図、側面図である。
【図５】本発明の実施形態２によるヘアーブラシの正面図、左側面図である。
【図６】本発明の実施形態２による単一素材から成るピンユニットの正面図、側面図である。
【図７】本発明の実施形態３によるヘアーブラシの正面図、左側面図である。
【図８】本発明の実施形態３による本体の平面図、正面図、左側面図である。
【図９】本発明の実施形態３による基台の平面図、正面図、側面図である。
【図１０】本発明の実施形態４によるヘアーブラシの平面図、正面図である。
【図１１】本発明の実施形態４による図１０におけるＡ−Ａ線の断面図である。
【図１２】本発明の実施形態４による本体の正面図である。
【図１３】本発明の実施形態４による基台にピンユニットを設置した状態を示す平面図である。
【符号の説明】
【００２０】
１    本体
１ａ  係合溝
１ｂ  嵌合穴
１ｃ  支持板
１ｄ  キャップ
１ｅ  キャップ突起
１ｆ  キャップ嵌合穴
１ｇ  接合部
１ｈ  芯部
２    ピンユニット
２ａ  ブラシピン
２ｂ  突起
２ｃ  ピン基板
３    基台
３ａ  ピン穴
３ｂ  係合部
３ｃ  凸部
３ｄ  凹部
【図１】
2016154750.tif 000003
【図２】
2016154750.tif 000004
【図３】
2016154750.tif 000005
【図４】
2016154750.tif 000006
【図５】
2016154750.tif 000007
【図６】
2016154750.tif 000008
【図７】
2016154750.tif 000009
【図８】
2016154750.tif 000010
【図９】
2016154750.tif 000011
【図１０】
2016154750.tif 000012
【図１１】
2016154750.tif 000013
【図１２】
2016154750.tif 000014
【図１３】
2016154750.tif 000015